(57)【要約】【課題】（１）地上投入口高さ１６にある投入口下端部９より内面下部１０まで投入した前端円筒１，（２）地上排出口高さ１７にある排出口１３の中心に後端截頭円垂筒２，（３）前端円筒１及び後端截頭円垂筒２を連続した形状にした回転筒３を提供する。【解決手段】排出口の中心に回転軸をもち，平滑な地上面に対して前傾斜角αを有する傾斜回転筒を特徴とする。【選択図】    図４
2004338936.tif 000002
【特許請求の範囲】
【請求項１】
前部の前端円筒（１）及び後部の後端截頭円垂筒（２）を連続した形状の傾斜回転筒（３）を設け，前端円筒（１）の上部に接した前固定台（４）に，投入口（５），投入口蓋（６）および投入口下端部（７）を設け，地上投入口高さ（約１ｍ以下）（８）にある投入口下端部（７）より前端円筒（１）の内面下部（９）まで投入し，投入口下端部（７）より取り付けた傾斜樋（１０）を後方下部へ傾斜し，かつ前端円筒（１）の内面下部（９）に接するように構成し，後端截頭円垂筒（２）に接した後固定台（１１）に排出口蓋（１２）を設け，後端截頭円垂筒（２）の排出口（１３）の中心に地上排出口高さ（１４）を設け，排出口（１３）の中心に回転軸（１５）を設け，平滑な地上面に対して前傾斜角α（１６）を有する傾斜回転筒（３）を設け，傾斜回転筒（３）を駆動する傾斜架台（１７）及び前固定台（４）と後固定台（１１）を横置きにすることを特徴とする傾斜回転筒ゴミ貯留機。
【請求項２】
傾斜回転筒（３）の内面円周上に螺旋状羽根（１８）を設け，傾斜回転筒（３）内の横断面に支柱（１９）及び防止円板（２０）を設け，螺旋状羽根（１８）と防止円板（２０）の間に横断隙間（２１）を設けることを特徴とする請求項１に記載の傾斜回転筒ゴミ貯留機。
【発明の詳細な説明】
【０００１】
【発明の属する技術分野】
地上高からゴミを直接投入できる回転筒ゴミ貯留機に関するものである。
【０００２】
【従来の技術】
従来の回転筒ゴミ貯留機は，ゴミを前部の投入口へ投入し，後部の排出口から排出し，その間にゴミを回転し移送する回転筒で設ける。
投入口の方向に，回転筒にゴミを投入するため，前部に大径の円筒（シリンダー）が設ける。
排出口の方向には，排出口蓋を閉鎖し，排出口の円径を小さくするため，後部に截頭円垂筒の形状を設ける。
截頭円垂筒は，前部の大径から後部の小径へ，径違同心円筒（レジューサ）を形成している。円筒より同径の截頭円垂筒を連続的にした回転筒になっている。
従来の回転筒ゴミ貯留機では，ゴミ投入者が前側の投入口を開けて，貯留機内にゴミを投入し貯留する。ゴミ収集車が定期的に配送すると，回転筒ゴミ貯留機の後側の排出口からゴミを落下し，ゴミ収集車の収集口に貯留される。
ゴミ収集車の車高は，配備されたコンベア排出用移送装置等を併設しており，地上排出口高さはかなり高い基準に設けられている。
排出口の中心は地上排出口高さ約１．７ｍ以上あり高い。排出口の中心にある回転軸は通常地上と平行になる。水平な回転筒を長く，直径をできるだけ小さくする。したがって回転筒ゴミ貯留機を，地上面より高い位置に設けている。
投入口は回転筒の前方向に位置にされ，地上排出口高さ約１．７ｍ以上の高さになっている。
したがって，投入口へ人力でゴミを投入するためには，投入口の高さを１ｍ以下にして，ゴミ投入用階段やステップ等の段差を設けた。段差を地上高より高くして配設し，ゴミ投入者が段差に立って始めて投入を可能にしていた。
しかし実際には段差の便益が良くないので，直接の地上に立ったゴミ投入者がゴミを「地上直接投入」にするように要望している。
たとえば，ゴミ袋のゴミ容量はかなり重量があるので，機械的力などの反転用コンテナ装置等を使用する場合が多かった。
【０００３】
【発明が解決しようとする課題】
最近になって身体障害者への配慮の観点から，住宅建設の必須条件としてバリアフリー（搬送路面の段差の排除）の考え方が義務付けられるようになった。
住宅からでるゴミの投入に際しても，身体障害者が車椅子から容易に直接投入できるような設備で要求するようになった。
住宅などで人力で投入されるゴミ袋などでは，容量約４０リットルや重量約２０キログラム等の大きさが必要になってきた。
したがってバリアフリーへの機能性として，大きさや重さや平坦さや危険性などのも必要にきている。とくに無段差（ノンステップ）が重要になっており，高い作業への便益が必要になっている。最近では，無段差のためのゴミ移送機をゴミ貯留機へ付設している。
このためにバリアフリーの機能として，独立した機能を付設したゴミ移送機が複雑に余計になることもある。
便益性は良くなったが，ゴミ投入機の機械装置に対する，設備費や電気費やサービス費等の利益性が問題になっている。したがってゴミ投入機に便益性と利益性能を比較し，費用対効果の経済性を高くする方法を課題とした。
課題についての条件をつぎに示した。
（１）投入口の合体した条件
地上投入口高さにある投入口下端部より内面下部まで投入した大きな前端円筒が必要である。
（２）排出口の合体された条件
地上排出口高さにある排出口の中心に小さな後端截頭円垂筒が必要である。
（３）一つの風袋とした回転筒の条件
大きな前端円筒及び小さな後端截頭円垂筒が一つの風袋にした回転筒になり，移送および貯留できる機能の回転筒が必要である。この三つの条件を合体するには，大きな円筒及び径違円筒を大きな回転筒が必要になる。しかし大きな回転筒でゴミを貯留できても，ゴミを移送するができない。
したがって一つの中の手段としては，前傾斜角αを利用し傾斜回転筒を小さくできる方法である。内面下部の地上点と排出口の中心点を一定の高さにして，前傾斜角αに与えることで傾斜回転筒の直径の大きさを変えることができる。
傾斜回転筒の直径を小さくすると，前傾斜角αは大きくなる。ゴミが前方向へ逆行して降下するので，排出口へゴミの移送量が少なくなる。前傾斜角αは小さくすると，回転筒の長さを大きくなる。
また，前傾斜角αが大きくなると，前固定台と前端円筒との間に大きな傾斜樋が必要になる。一般的なゴミの質に実験すると，前傾斜角αに妥当できる数値では５°から８°の角度である。
したがって，前傾斜角αを小さくした実施例の請求項１として，一つの手段として提供した。
つぎの請求項２として，前傾斜角αを大きくし，傾斜回転筒の直径を小さくするように，新しい形状の構成をした。すなわちゴミの移送量の降下に対する方法として回転筒内の横断面に防止円板の手段を設けた。
【０００４】
【課題を解決するための手段】
請求項１は，前傾斜角αを小さくした回転筒の形状で，五つの項目として構成されている。
（１）前部の前端円筒１及び後部の後端截頭円垂筒２を連続した形状の傾斜回転筒３を設ける。
（２）前端円筒１の上部に接した前固定台４に，投入口５，投入口蓋６および投入口下端部７を設ける。地上投入口高さ（約１ｍ以下）８にある投入口下端部７より前端円筒１の内面下部９まで投入する。
（３）投入口下端部７より取り付けた傾斜樋１０を後方下部へ傾斜し，かつ前端円筒１の内面下部９に接するように構成する。
（４）後端截頭円垂筒２に接した後固定台１１に排出口蓋１２を設ける。後端截頭円垂筒２の排出口１３の中心に地上排出口高さ（約１．７ｍ以上）１４を設ける。
（５）排出口１３の中心に回転軸１５を設け，平滑な地上面に対して前傾斜角α１６を有する傾斜回転筒３を設け，傾斜回転筒３を駆動する傾斜架台１７及び前固定台４と後固定台１１を横置きにする。
請求項２は，前傾斜角αを大きくした回転筒や防止円板などの形状で構成する。
（６）傾斜回転筒３の内面円周上に螺旋状羽根１８を設ける。
（７）傾斜回転筒３内の横断面に支柱１９及び防止円板２０を設ける。
（８）螺旋状羽根１８と防止円板２０の間に横断隙間２１を設ける。
【０００５】
【発明の実施の形態】
第一に，本発明の実施の形態について，回転筒の形状の原理を説明する。
図１に回転筒２２の形状，図２及び図３に後端截頭円垂筒２の形状，図４に傾斜回転筒３について説明する。
【０００６】
図１に，回転筒２２の形状について，線及び点を括弧内の英文字で説明する。
図１の左図に前端円筒（ａ，ｃ，ｄ，ｅ）１を，右図に後端截頭円垂筒（ｄ，ｅ，ｆ，ｇ）２を連続した形状を一個にした回転筒（ａ，ｃ，ｄ，ｇ，ｆ，ｅ）２２にし，回転軸（ｈ，ｉ，ｊ）１５の地上高（ｏ，ｏ）に平行し横置きにしている。前端円筒１の前方に投入口５があり，投入口下端部（ｂ）７に地上投入口高さ（ｏ，ｂ）（約１．０ｍ以下）８より前端円筒（ａ，ｃ）１の内面下部（ａ）９まで投入し，投入落下高さ（ａ，ｂ）２３の間にゴミの貯留量を設けている。
内面下部９と回転軸１５は高くなるので，回転筒２２の直径（ａ，ｃ）は大きくしている。
後端截頭円垂筒２に排出口（ｇ，ｆ）１３の中心（ｈ）に回転軸１５があり，地上排出口高さ（ｆ，ｏ）（約１．７ｍ以上）１４よりゴミ収集車の収集口は高いので，排出口１３の直径（ｇ，ｆ）は最小限度に小さくしている。
排出口の直径（ｇ，ｆ）が小さく回転筒２２の直径（ｄ，ｅ）が大きくなるので，後端截頭円垂筒（ｄ，ｅ，ｆ，ｇ）２の円垂筒２４の長さ（ｈ，ｉ）を短くすると，円垂角Θ２５は大きくなるので，ゴミを上昇させ移送することが難しくなる。
逆に，円垂筒２４の長さを長くすると，円垂角Θ２５は小さくなるので，ゴミをゆっくり上昇することができるが，円垂筒長さの途中で落下することになる。
したがって，実際の回転の速さでは，円垂角Θ２５は３５°以下，あるいは円垂筒長さは排出口１３の直径に等しいような実績がある。
【０００７】
たとえば，図２に後端截頭円垂筒（ｄ，ｅ，ｆ，ｇ）２のＢ−Ｂ矢視断面，図３に後端截頭円垂筒２のＡ−Ａ矢視断面のように，後端截頭円垂筒の内面下部９にある螺旋状羽根（Ｆ）１８が後方へ上向きになる。
回転軸１５中心へ右回転し始めると，螺旋状羽根（Ｇ）の上のゴミは後方へ下降し移送する。
これ以上より回転すると螺旋状羽根（Ｈ）の上にあるゴミは落下する。
したがって螺旋状羽根１８と截頭円垂筒２６の長さを短くし，円垂角Θ２４は３５°以下より小さくして，ゴミの落下を少なくするように回転筒の形状を構成した。
【０００８】
たとえば，図４に傾斜回転筒を示している。まず図１の地上投入口高さ（ｏ，ｂ）（約１．０ｍ以下）８に等しい前端円筒１の直径（ａ，ｃ）が必要になり，排出口１３の直径（ｇ，ｆ）が小さくし，後端截頭円垂筒（ｄ，ｅ，ｆ，ｇ）２の円垂筒長さ（ｈ，ｉ）を半分に短くする。
すなわち図４に，前端円筒１の内面下部（ａ）９を一定点にする。つぎに，排出口（ｇ，ｆ）１３の中心（ｈ）を平行する。排出口１３の直径（ｇ，ｆ）は常に同じになる。たとえば，前傾斜角αがゼロのときで，地上面（ｏ，ｏ）と平行した回転軸（ｈ，ｊ）１５になると，図１の大きさになり，截頭円垂筒（ｄ，ｃ，ｆ，ｇ）２の円垂角Θ２５が大きくなり，ゴミの移送量が少なくなる。したがって，円垂角Θ２５を小さくすれば，排出口の中心（ｈ，ｏ）の方へ前端円筒の直径（ａ，ｃｏ）は小さくなり，前傾斜角α１６が生じる。
したがって，円垂角Θｏ２５はある程度に小さくにして一定にし回転筒の容量を少なくすれば，前傾斜角α１６がだんだん大きくなる。
したがって，妥当な小さい前傾斜角αｏ１６に決め，傾斜回転筒３のゴミ容量（Ｖ）を決め，円垂角Θｏ２５を決めることになる。
【０００９】
つぎに傾斜回転筒３の原理を説明する。
傾斜回転筒のゴミ容量Ｖ，傾斜回転筒の半径Ｒ（ａ，ｊｏ），傾斜回転筒の胴長  Ｌ（ｃｏ，ｎ）とすると，
2004338936.tif 000003
また，地上排出口高さ（ｈｏ，０２）より，前端円筒の内面下部点（ａ）からの間を，傾斜筒高さＴ（ｈｏ，ｑ）にし，前傾斜角αにすると，
2004338936.tif 000004
したがって，傾斜筒高さＴは一定の高さになり，妥当な小さい前傾斜角αｏとして一定になるので，ゴミ容量Ｖは回転筒の半径Ｒが決まり，つぎに，回転筒の傾斜回転筒の胴長Ｌが決定される。
つぎに，前傾斜角αｏを決定したあとは，を調整が必要となっている。
水平な回転筒の場合には円垂角Θは，実際のゴミ質により円垂角Θｏ約３５°以下となるので，傾斜回転筒の場合には，前傾斜角αがあると円垂角の傾斜面はΘｏ＋αｏの大きさになる。
したがって，前傾斜角αｏに場合には，Θｏ−αｏの大きさに円垂角Θを調整し，円垂角Θに対する円垂角Θの長さを検討することになる。
また，前傾斜角αが大きくなると，前端円筒（ａ，ｃｏ）の上部点（ｃｏ）と，前固定台（ｃｏ，ｍ，Ｏ３）が接し，内面下部（ａ）と前固定台の間（Ｏ３，Ｏ）は大きくなる。投入口下端部（ｍ）が，内面下部に直下に落下できないので，傾斜樋（ｍ，ａ）を設ける。
前端円筒の内面下部（ａ）と前固定台と水平になる隙間（ａ，ａｏ）は，かなり広くなるので，前固定台の投入口下端部の点（ｋ）からの傾斜樋が大きくなり，半分円錐にした傾斜樋を設け，傾斜樋を投入室の前部に固定する。
【００１０】
第二に，本発明の実施の形態を実施例の一つとして，請求項１に示す傾斜回転筒ゴミ貯留機の構造について説明し，図５の側面図，図６の前面図（Ｃ−Ｃ矢視），図７の後面図（Ｄ−Ｄ矢視），図８の側面断面図（Ｅ−Ｅ断面矢視）によって示す。
傾斜回転筒３の内部に複数の螺旋状羽根１８が設けられ，傾斜回転筒３の中心に回転軸１５が傾斜架台１７の上に回転される。
傾斜架台１７が平滑な地上に横置きされ，傾斜架台１７の上にが取付けられる。傾斜回転筒３の前端円筒１の前開口部は，前固定台４に接して回転される。
前固定台４の前端におよび投入口蓋６が設けられている。
投入口５の下に投入口下端部７を設け，投入口下端部７は地上投入口高さ８と同じになる。  平滑な地上面に立った普通人は，ゴミを容易に投入できる地上投入口高さ８を約１．０ｍ以下として常識的としている。
地上投入高さ８にある投入口下端部７より傾斜樋１０を伝わって，前端円筒１の内面下部９まで設けられ，投入落下高さ２３が設定されている。
ゴミ袋の大きさは４００ｍｍ位ほどあるので，投入落下高さ２３は，約６００ｍｍ以上の間に構成されている。投入落下高さ２３は高いほどよく投入容量の効果が良くなる。
投入口下端部７に設けられた前固定台４の中に，固定された傾斜樋１０の円垂部分が固定され，その上部に投入室２７が囲われ固定されている。固定された投入室２７の下部口２８の下に，螺旋状羽根１８は回転され接している。螺旋状羽根１８は前端円筒１の内面板２９に取付けてある。
【００１１】
傾斜回転筒３の外周にはリング３０が設けられ，リング３０の外周に支持された回転自在の左右ローラ軸受３１が傾斜架台１７上に取付けられる。さらに同時に前後ローラ軸受３２は，リング３０の前後方向に動きを規制され，傾斜架台１７上に取付けられる。
また，傾斜回転筒３の外周に大スプロケット３３が設けられ，傾斜架台１７上のモーター３４に設けられた小スプロケット３５とチェーン３６は連結され，モーター３４によって傾斜回転筒３が駆動される。
前端円筒１の内面板２９は大径になり，投入口下端部７からの投入落下高さ２３は大きくなる。逆に前端円筒１の外面板３７の下部中央部は，できるだけ地上高より低いように構成される。
【００１２】
傾斜回転筒３の後端截頭円垂筒２には排出口１３があり，排出口１３の中心に地上排出口高さ（約１．７ｍ以上）１４を設ける。ゴミ収集車の高さは約１．２ｍの高さがあり，排出口の直径は約１．０ｍ以上の実績があり，したがって地上排出口高さ（約１．７ｍ以上）１４の条件になる。  排出口１３には排出口蓋１２が押し付けられ，かつ回転自在に取付けられ常時に閉鎖されている。  排出口蓋１２は回転しながら脱着アーム３８に取付けられ，脱着アーム３８は後固定台１１に取付けられ，後固定台１１は傾斜架台１７の上に取付けられる。
【００１３】
第三に，本発明の実施例の傾斜回転筒ゴミ貯留機として，ゴミ移送の使用方法を説明する。
（１）地上投入口高さへのゴミ移送の使用方法
本発明に最も重要な条件としては，バリアフリー（搬送路面の段差の排除）の義務付けから，平滑な地上面に立った健常者や身体障害者や車椅子から容易に地上直接投入の作業ができるようになった点である。地上直接投入ができる地上投入口高さ８を，約１．０ｍ以下として，基準を常識的としている。
前固定台４の投入口５より投入口蓋６をき，投入口７の下の投入口下端部７より，前端円筒１の内面下部９までゴミを投入する。投入口下端部７は地上投入口高さ８と同じ高さにしている。ゴミ袋の大きさは約４０リットル位の容量もあり，重量もあるので，地上投入口高さ８の基準は最も重要な条件になっている。
（２）投入落下高さへのゴミ移送の使用方法
地上投入口高さ８にある投入口下端部７より，前端円筒１の内面下部９まで，投入落下高さ２３は約６００ｍｍ以上の間に設定している。ゴミ袋の大きさは約４０リットル位の容量があり，投入落下高さ２３をできるだけ大きくしている。
（３）投入室の貯留量へのゴミ移送の使用方法
前固定台４の後方に固定された傾斜樋１０及び投入室２７は，傾斜回転筒３の前開口部の内部に設けられる。投入室２７の前方に投入口５が開いており，傾斜樋１０を通って，投入室２７の下部口２８へ開いている。投入室の右側下部に押込口３９が開いており，押込口３９と下部口２８は連通されている。
傾斜回転筒３の下部には螺旋状羽根１８が固定され，傾斜回転筒３の下部が通常として右方向に回転される。投入口５より投入されたゴミは投入室２７内に充填される。下部口２８より回転された螺旋状羽根１８の上に，ゴミが右方向に送られ，右側下部の押込口３９より螺旋状羽根１８によって押込まれ，投入室２７より吐き出され，傾斜回転筒３の内部に貯留される。
（４）円垂筒へのゴミ移送の使用方法
ゴミを投入室２７より吐き出し，螺旋状羽根１８の内に移送し，傾斜回転筒３の内に貯留する。傾斜回転筒３の中には，前端円筒１と後端截頭円垂筒２の２つあり，２つの内面板２９に螺旋状羽根１８を固定する。
前端円筒１の内面板２９は傾き，ゴミを傾斜し移送する。さらに後端截頭円垂筒２の内面板２９は大きく傾き，ゴミを傾斜面へ傾けて移送するので，ゴミの落下率が多くなる。
截頭円垂筒２６を右回転に始めると，下部の螺旋状羽根１８を後方へ上向きにし，右部の螺旋状羽根１８を後方へしてゴミを下降し移送する。上部の螺旋状羽根１８よりゴミを落下するが，後方へは移送することができない。
また排出口蓋１２を閉鎖する場合には，傾斜回転筒３の後部内にゴミを貯留する。ゴミが満杯になり排出口蓋１２を開放する場合には，後端截頭円垂筒２の回転により螺旋状羽根２４がゴミを後方に押し出し，排出口１３より排出し，ゴミ収集車の収集口に収集する。
（５）傾斜回転筒へのゴミ移送の使用方法
水平な回転筒２２の場合だと，前端円筒１内でも，後端截頭円垂筒２内でも，螺旋状羽根１８が当る場合には上部へ降下しながら後方へゴミを移送する。
但し，後端截頭円垂筒２の場合には，円垂角Θ２５の落下率が大きくなるのでゴミの移送量が悪くなる。
しかし前傾斜角α１６が傾いて傾斜回転筒３になると，全体的に落下率がますます大きくなり，ゴミの移送は効率が悪くなる。また螺旋状羽根１８にゴミが当らない場合は，傾く前端円筒１の部分でますますゴミの移送は悪くなる。
前傾斜角α１６が小さくしても，ゴミの質によってゴミの移送の効率が悪くなるので，防止円板２０の対策を設ける。
したがって，傾斜回転筒３の空間内に複数に防止円板２０を設けて，ゴミの移送をできるだけ大きくし，排出口１３より排出ができるように構成する。
【００１４】
第四に，本発明の実施の形態を実施例の一つとして，請求項２に示す防止円板２０の構造について説明し，図９の防止円板の側面図（Ｆ−Ｆ断面矢視），および図１０の防止円板の横断面図（Ｇ−Ｇ横断面矢視）を示す。
前端円筒１の内面に横断面に二個の支柱１９を設け，支柱の中央に防止円板２０を設け，前端円筒内に固定している。前端円筒１の内面に螺旋状羽根１８は連続または不連続の螺旋状に羽根巾４０を固定している。
羽根巾４０内の空間断面積４１の中に，防止円板２０を設け，その間に横断隙間４２を構成している。投入室２７よりゴミを吐き出し，傾斜回転筒３も内部に貯留し回転して，ゴミを移送し後部へ上昇する。
螺旋状羽根１８の羽根巾４０の下部に後部へゴミを移送するが，内面の空間断面積４１に羽根巾４０に当るゴミにはないから，ゴミは前部の方へ降下する。
前傾斜角α１６が小さい角度にある場合には問題はないが，前傾斜角α１６が５°以上の大きい角度になると，ゴミが前方向へ逆行して降下になり，ゴミの移送量が少なくなる。
したがって，空間断面積４１が降下しないように，防止円板２０で空間を塞ぐ対策にする。ゴミ袋などの場合には，約４０リットルの容量があるので，横断隙間４２からゴミが少し通過するが，防止円板２０の後部面にゴミを貯留することができる。防止円板２０に複数個を設ければ効果は大きくなる。
【００１５】
【発明の効果】
既設の回転筒ゴミ貯留機には，段差をもってゴミ投入用階段やステップを併設して，バリアフリーの考えを義務付けにし，バリアフリーの構造を早急に考える必要があった。
したがって，ゴミ投入用階段を廃止し，新しい商品のゴミ投入移送装置等を差換えて，ゴミ貯留機の他に別途に設置する必要があった。
ゴミ投入用階段を昇っりゴミ袋を運搬するなど投入する労力は多かった。代わりにゴミ投入移送装置は楽なので，機械装置が大きくなっても，バリアフリーの便益は非常に評価されていた。ゴミ投入移送装置に段差を無くなったので，大きな効果はだしている。
とくに地上投入口高さの点は，地上に直接投入する便益は大きい。重量の作業による負担は段差によって大きい。また段差による安全性や危険性なども便益性が大きいと評価された。
しかし，ゴミ投入移送装置などの便益性は良くなったが，利益性の面が問題となった。
そこで本発明では，傾斜回転筒の形状の新しい創造の局面から構成した。
傾斜回転筒という本発明では，便益性の効果も大きいが，利益性の効果は最も大きい。利益性が最も大きいのは，原価の利益が大きいことである。
すでにバリアフリーのためのゴミ投入移送装置等としては，ゴミ貯留機を別途に付設した機械装置費にし，顧客としては不利益な問題もでている。またゴミ投入移送装置等については機械装置費の他には，設備費，電気費，修理費，サービス費なども購入がでる。
これに対して本発明については，非常に利益性な効果が大きく，単なる便益ばかりではなく，サービスに対する社会性への貢献は大きいものとなる。
このように本発明の特徴は，バリアフリーの問題として，健常者や障害者に隔てなく生活にできる大きな便益をもたらすことができる。しかも傾斜回転筒の独特な形状は簡単でしかも大きな利益を与えることができる。
したがって本発明は，産業と経済の発展ばかりでなく，社会面としてのノーマルライゼーション（健常者，障害者が隔てなく生活できる社会）という道徳性上の大きい問題を貢献するものである。
【図面の簡単な説明】
【図  １】本発明の回転筒の形状を示している。
【図  ２】本発明の後端截頭円垂筒の形状をＢ−Ｂ矢視断面に示している。
【図  ３】本発明の後端截頭円垂筒の形状をＡ−Ａ矢視断面に示している。
【図  ４】本発明の傾斜回転筒の形状を示している。
【図  ５】本発明の実施例の傾斜回転筒ゴミ貯留機の側面図を示している。
【図  ６】本発明の実施例の傾斜回転筒ゴミ貯留機の前面図（Ｃ−Ｃ矢視）を示している。
【図  ７】本発明の実施例の傾斜回転筒ゴミ貯留機の後面図（Ｄ−Ｄ矢視）を示している。
【図  ８】本発明の実施例の傾斜回転筒ゴミ貯留機の側面断面図（Ｅ−Ｅ断面矢視）を示している。
【図  ９】本発明の実施例の防止円板の側面断面図（Ｆ−Ｆ断面矢視）を示している。
【図１０】本発明の実施例の防止円板の横断面図（Ｇ−Ｇ断面矢視）を示している。
【符号の説明】
１    前端円筒                  ２    後端截頭円垂筒
３    傾斜回転筒                ４    前固定台
５    投入口                    ６    投入口蓋
７    投入口下端部              ８    地上投入口高さ
９    内面下部                １０    傾斜樋
１１    後固定台                １２    排出口蓋
１３    排出口                  １４    地上排出口高さ
１５    回転軸                  １６    前傾斜角α
１７    傾斜架台                １８    螺旋状羽根
１９    支柱                    ２０    防止円板
２１    横断隙間
【図１】
2004338936.tif 000005
【図２】
2004338936.tif 000006
【図３】
2004338936.tif 000007
【図４】
2004338936.tif 000008
【図５】
2004338936.tif 000009
【図６】
2004338936.tif 000010
【図７】
2004338936.tif 000011
【図８】
2004338936.tif 000012
【図９】
2004338936.tif 000013
【図１０】
2004338936.tif 000014